(57)【要約】給電停止による圧縮機の逆回転を防止するために、空調システムまたは冷凍システムの冷媒回路（２）に設置された圧縮機（１０）のシャットダウンを制御する。圧縮機駆動モータ（２４）への給電を停止する前に、システム内の圧力を軽減し、圧縮機全体を通して実質的に圧力を等しくすることによって、停止時に、給電停止による圧縮機の逆回転の可能性を排除する。圧力軽減および均圧は、圧縮機駆動モータへの給電を停止する前に、一定の時間、圧縮機の運転速度を順方向低速に減速することによって達成することができる。均圧は、駆動モータへの電力停止の前に、圧縮機を逆回転して駆動することによっても、達成することができる。
2008524497.tif 000002
【特許請求の範囲】
【請求項１】
圧縮機が、圧縮チャンバを有する圧縮機構に運転可能に接続された駆動軸を有し、前記圧縮チャンバ内で、流体は、前記駆動軸の回転で吸込圧力から吐出圧力に圧縮され、前記圧縮機は、前記駆動軸を所定の回転速度で駆動する、前記駆動軸と運転可能に接続された駆動モータを有してなる圧縮機の運転方法であって、
前記駆動モータへの給電を停止する前に、前記吐出圧力を前記吸込圧力に実質的に等しくするために、前記駆動軸の回転を制御するステップを備えることを特徴とするシャットダウン制御のための圧縮機の運転方法。
【請求項２】
前記駆動軸の回転を制御するステップは、
前記駆動軸の前記回転速度を順方向低速に減速することによって、前記圧縮機の前記シャットダウンを開始するステップと、
前記吐出圧力を前記吸込圧力に実質的に等しくするのに十分な時間の間、前記順方向低速で前記圧縮機を運転させるステップと、
を備えることを特徴とする請求項１に記載のシャットダウン制御のための圧縮機の運転方法。
【請求項３】
前記圧縮機駆動モータへの給電を停止する前に、所定時間の間、所定の順方向低速で、前記圧縮機を運転させるステップをさらに備えることを特徴とする請求項２に記載のシャットダウン制御のための圧縮機の運転方法。
【請求項４】
前記所定時間低速運転している間において、圧縮機吸込圧力を感知するステップと、圧縮機吐出圧力を感知するステップと、
前記感知された吐出圧力と前記感知された吸込圧力とを比較するステップと、
前記感知された吐出圧力が、前記感知された吸込圧力と実質的に等しくなるとき、前記圧縮機駆動モータへの給電を停止するステップと、
をさらに備えることを特徴とする請求項２に記載のシャットダウン制御のための圧縮機の運転方法。
【請求項５】
前記所定時間低速運転している間において、圧縮機中間圧力を感知し、圧縮機吐出圧力を感知するステップと、
前記感知された吐出圧力と前記感知された中間圧力とを比較するステップと、
前記感知された吐出圧力が、前記感知された中間圧力と実質的に等しくなるとき、前記圧縮機駆動モータへの給電を停止するステップと、
をさらに備えることを特徴とする請求項２に記載のシャットダウン制御のための圧縮機の運転方法。
【請求項６】
前記所定時間低速運転している間において、圧縮機飽和吸込温度を感知し、圧縮機飽和吐出温度を感知するステップと、
前記感知された飽和吐出温度と前記感知された飽和吸込温度とを比較するステップと、
前記感知された飽和吐出温度が、前記感知された飽和吸込温度と実質的に等しくなるとき、前記圧縮機駆動モータへの給電を停止するステップと、
をさらに備えることを特徴とする請求項２に記載のシャットダウン制御のための圧縮機の運転方法。
【請求項７】
前記駆動軸の回転を制御するステップは、
前記駆動軸の前記順方向への駆動から、前記駆動軸の逆方向への駆動に移行することによって、前記圧縮機の前記シャットダウンを開始するステップと、
前記吐出圧力を前記吸込圧力に実質的に等しくするのに十分な所定時間の間、前記圧縮機を前記逆方向に運転させるステップと、
前記駆動軸の前記逆方向への回転後、前記圧縮機駆動モータへの給電を停止するステップと、
を備えることを特徴とする請求項１に記載のシャットダウン制御のための圧縮機の運転方法。
【請求項８】
前記圧縮機駆動モータへの給電を停止する前に、前記圧縮機を所定の逆方向への速度で所定時間運転させるステップをさらに備えることを特徴とする請求項７に記載のシャットダウン制御のための圧縮機の運転方法。
【請求項９】
前記所定時間逆回転運転している間において、圧縮機吸込圧力を感知し、圧縮機吐出圧力を感知するステップと、
前記感知した吐出圧力と前記感知した吸込圧力とを比較するステップと、
前記感知した吐出圧力が前記感知した吸込圧力に実質的に等しくなるとき、前記圧縮機駆動モータへの給電を停止するステップと、
をさらに備えることを特徴とする請求項７に記載のシャットダウン制御のための圧縮機の運転方法。
【請求項１０】
前記所定時間逆回転運転している間において、圧縮機中間圧力を感知し、圧縮機吐出圧力を感知するステップと、
前記感知した吐出圧力と前記感知した中間圧力とを比較するステップと、
前記感知した吐出圧力が前記感知した中間圧力に実質的に等しくなるとき、前記圧縮機駆動モータへの給電を停止するステップと、
をさらに備えることを特徴とする請求項７に記載のシャットダウン制御のための圧縮機の運転方法。
【請求項１１】
前記所定時間逆回転運転している間において、圧縮機飽和吸込温度を感知し、圧縮機飽和吐出温度を感知するステップと
前記感知した飽和吐出温度と前記感知した飽和吸込温度とを比較するステップと、
前記感知した飽和吐出温度が前記感知した飽和吸込温度に実質的に等しくなるとき、前記圧縮機駆動モータへの給電を停止するステップと、
をさらに備えることを特徴とする請求項７に記載のシャットダウン制御のための圧縮機の運転方法。
【請求項１２】
圧縮機構と、
この圧縮機構と運転可能に接続され、駆動軸順方向への回転により流体を圧縮する駆動軸と、
前記駆動軸を駆動する、前記駆動軸と運転可能に接続された駆動モータと、
前記駆動軸の前記回転速度を順方向低速に減速することによって前記圧縮機のシャットダウンを開始し、前記順方向低速の回転速度で、前記吐出圧力が前記吸込圧力に実質的に等しくなるのに十分な時間の間、前記圧縮機を運転させ、その後、前記駆動モータへの給電を停止するように運転可能な制御装置と、
を備えることを特徴とする圧縮機。
【請求項１３】
前記圧縮機は、スクロール圧縮機であることを特徴とする請求項１２に記載の圧縮機。
【請求項１４】
前記圧縮機は、スクリュー圧縮機であることを特徴とする請求項１２に記載の圧縮機。
【請求項１５】
前記圧縮機は、変速圧縮機であることを特徴とする請求項１２に記載の圧縮機。
【請求項１６】
前記圧縮機は、多段速度圧縮機であることを特徴とする請求項１２に記載の圧縮機。
【請求項１７】
前記圧縮機は、空調システム、ヒートポンプシステム、または冷凍システムの１つに設置されることを特徴とする請求項１２に記載の圧縮機。
【請求項１８】
圧縮機構と、
この圧縮機構と運転可能に接続され、駆動軸順方向への回転で流体を圧縮する駆動軸と、
前記駆動軸を駆動する、前記駆動軸と運転可能に接続された駆動モータと、
前記駆動軸を前記順方向への回転から逆方向への回転に移行させることによって、前記圧縮機のシャットダウンを開始し、前記吐出圧力を前記吸込圧力に実質的に等しくさせるのに十分な時間の間、前記逆方向に前記圧縮機を運転させ、前記駆動軸の逆方向への回転後、前記圧縮機駆動モータへの給電を停止するように運転可能な制御装置と、
を備えることを特徴とする圧縮機。
【請求項１９】
前記圧縮機は、スクロール圧縮機であることを特徴とする請求項１８に記載の圧縮機。
【請求項２０】
前記圧縮機は、スクリュー圧縮機であることを特徴とする請求項１８に記載の圧縮機。
【請求項２１】
前記圧縮機は、変速圧縮機であることを特徴とする請求項１８に記載の圧縮機。
【請求項２２】
前記圧縮機は、多段速度圧縮機であることを特徴とする請求項１８に記載の圧縮機。
【請求項２３】
前記圧縮機は、空調システム、ヒートポンプシステム、または冷凍システムの１つに設置されることを特徴とする請求項１８に記載の圧縮機。
【発明の詳細な説明】
【技術分野】
【０００１】
本発明は、一般的に、例えば、スクロール圧縮機やスクリュー圧縮機等の、駆動モータによって回転駆動される軸を有する圧縮機に関し、より詳細には、シャットダウン時に、給電停止による逆回転を防止する圧縮機運転方法に関する。
【背景技術】
【０００２】
空調システムおよび冷凍システムにおいては、圧縮機が設けられて、冷媒を圧縮し、その冷媒を、凝縮器、蒸発器、膨張装置等の冷媒回路および冷媒システムの構成要素を通して移動させる。スクロール圧縮機およびスクリュー圧縮機は、空調システムおよび冷凍システムにおいて広く用いられている。スクロール圧縮機およびスクリュー圧縮機の両方において、冷媒は、駆動モータによって回転駆動される圧縮機軸と接続された圧縮要素を通過しながら、圧縮される。圧縮機軸が回転駆動されるとき、冷媒は、圧縮機構の圧縮チャンバを規定する次第に小さくなる圧縮ポケットを通る。スクリュー圧縮機においては、圧縮機構は、圧縮機軸に取り付けられた螺旋状のスクリューから成り、螺旋状のスクリューは、周囲のケーシングと関連して、次第に縮小される圧縮チャンバを規定するスクリューフライトを有する。スクロール圧縮機においては、圧縮機構は、１対の共働するスクロール部材から成り、各スクロール部材は、ほぼ螺旋状のラップを有し、ラップは、他方の部材のラップと嵌合してその間に圧縮チャンバを規定する。圧縮機軸の回転によりスクロール部材の一方が、他方のスクロール部材に対して旋回し、その結果、スクロールラップ間に規定された圧縮機チャンバの寸法が次第に狭くなって、そこに捕らえられた冷媒を圧縮する。
【０００３】
このような圧縮機の欠点は、シャットダウン時に、給電停止による逆回転が頻繁に生じることである。駆動モータへの給電を突然停止して、圧縮機のシャットダウンを開始することが一般的に行われてきた。モータへの給電を停止すると、モータは、圧縮機軸に駆動トルクを加えなくなる。圧縮された冷媒蒸気が、圧縮機吐出ポートの下流の冷媒回路から再膨張して、圧縮チャンバを通って圧縮機吸込ポートの上流の冷媒回路の吸込側に戻り逆回転が生じる。冷媒が圧縮チャンバを通って再膨張すると、再膨張する冷媒の力が、給電を停止された圧縮機構を逆回転させる。圧縮機の吐出圧力と圧縮機の吸込圧力とが、等しくなる、または、ほとんど等しくなると逆回転が止まる。
【０００４】
このような給電停止による逆回転は、圧縮機内部の構成要素に損傷を与える原因となることがあるので、望ましくない。さらに、給電停止による逆回転によって、望ましくない騒音が生じ、空調システムまたは冷凍システムの利用者にとって耳障りであったり、利用者をいらだたせたり、または、騒音が、圧縮機の故障と勘違いされることもある。給電停止による逆回転を防止する先行技術のステップは、通常、圧縮された冷媒蒸気が、圧縮機吐出口から圧縮機チャンバを通って再膨張し始めると閉じる内部の逆止弁など、圧縮機に追加の構成要素を設計することを伴う。この内部の逆止弁が閉じると、圧縮された蒸気の逆流は、物理的に遮断され、それによって、給電停止による逆回転の時間を少なくとも最小化またはなくす。しかしながら、圧縮機に追加の構成要素を加えることによって、圧縮機のコストが増加する。さらに、逆止弁が、運転中に故障するという危険も存在する。
【０００５】
給電停止による逆回転は、ソレノイド等のバイパス弁を含むことによって防止することもできる。バイパス弁は、選択的に開いて、逆流冷媒蒸気の少なくとも一部を吸込み側に直接迂回させることによって、圧縮機構の全てまたは少なくとも一部をバイパスする。例えば、Ｌｉｆｓｏｎの米国特許第６，０４２，３４４号明細書は、アンローダ（ｕｎｌｏａｄｅｒ）バイパス弁を有するスクロール圧縮機を開示している。シャットダウン時、またはシャットダウン直前に、アンローダバイパス弁を開いて、圧縮された冷媒が中間圧縮段から直接、圧縮吸込ラインに移動するのを可能にし、それによって、圧縮機構の少なくとも一部をバイパスする。米国特許第５，１６７，４９１号において、ＫｅｌｌｅｒとＣｈａｕｍｐは、圧縮機吐出ラインと圧縮機吸込ラインとの間のバイパスラインに設置された専用弁を有する圧縮機を開示している。圧縮機のシャットダウン時、またはシャットダウン直前に、弁を開いて、圧縮された冷媒が、圧縮機吐出ラインからバイパスラインを通って直接、圧縮機吸込ラインに移動することを可能にし、それによって、圧縮機構全体をバイパスする。従って、これらの各配置においては、給電停止により逆回転するのをなくし、または実質的に低減させる。
【発明の開示】
【発明が解決しようとする課題】
【０００６】
しかしながら、これらの各配置においては、追加の構成要素が一般的に必要である。さらに、冷媒の一部は、依然として、圧縮機構を通過することがある。
【課題を解決するための手段】
【０００７】
圧縮機のシャットダウンは、圧縮機の圧縮機構の給電停止による逆回転を防止するように制御される。圧縮機駆動モータへの給電を停止する前に、圧縮機の吐出（高圧）側の圧力を、圧縮機の吸込（低圧）側の圧力と実質的に等しくし、それによって、シャットダウン時に、圧縮機構の給電停止による逆回転の可能性をなくす。
【０００８】
本発明の一態様においては、圧縮機のシャットダウンを制御する方法は、圧縮機の回転速度を順方向の低速に減速することによって圧縮機のシャットダウンを開始するステップと、圧縮機の吐出側の圧力を圧縮機の吸込側圧力に実質的に等しくさせるのに十分な時間の間、順方向低速の回転速度で圧縮機を運転させるステップと、その後、圧縮機駆動モータへの給電を停止するステップと、を含む。
【０００９】
本発明の別の態様においては、圧縮機のシャットダウンを制御する方法は、圧縮機軸の順方向への駆動から、圧縮機軸の逆方向への駆動に移行すること、すなわち、給電状態での逆回転によって、圧縮機のシャットダウンを開始するステップと、圧縮機の吐出側での圧力が圧縮機の吸込側での圧力に実質的に等しくなった後、圧縮機駆動軸が逆方向に回転しているとき、圧縮機駆動モータへの給電を停止するステップと、を含む。なお、給電停止による逆回転と異なり、給電状態での逆回転は、通常、圧縮機内部の構成要素を損傷せず、実質的な騒音を生み出さない。
【発明を実施するための最良の形態】
【００１０】
図１を参照すると、本発明は、本明細書においては、空調システム、ヒートポンプシステム、または冷凍システムによく見られるような冷媒回路２に設置された圧縮機に関して記述する。冷媒回路２は、凝縮器４と、蒸発器６と、膨張弁８と、圧縮機１０と、を有し、それらは、冷媒回路２を形成するために、冷媒ラインによって冷媒が流体連通するように従来の方法で接続される。しかしながら、当然のことながら、本発明は、空調システム、ヒートポンプシステム、または冷凍システムに設置された圧縮機への用途に限られず、シャットダウン時に、圧縮された流体が再膨張して圧縮機構を通って戻り、給電停止によって逆回転する任意の圧縮機に適用することができる。詳細には、本発明は、本明細書においては、スクロール圧縮機に関して記述するが、シャットダウン時に給電停止によって逆回転するスクリュー圧縮機および任意の他の圧縮機に適用することができる。さらに、当業者は周知のように、図１に示す基本的な蒸気圧縮システムは、追加の特徴や、多くの構成の変形形態を有することができる。例えば、それらの変形形態は、エコノマイザブランチ、再熱ループ、ヒートポンプ変更のための設計の拡張等を含むが、それらに限定されない。
【００１１】
次に、図２を参照すると、圧縮機構２２と、関連する駆動モータ２４と、を有するスクロール圧縮機１０が示されている。圧縮機構２２は、旋回スクロール部材２６および非旋回スクロール部材２８を含む。スクロール部材２６，２８は、それぞれ、それら各々のベースから外方向に延びるラップ２７，２９を有する。ラップ２７，２９は、従来の方法で嵌合して、それらの間に圧縮ポケットを規定し、圧縮プロセス中、大量の流体を閉じ込める。本明細書においては、スクロール圧縮機に関して記述するが、当然のことながら、本発明は、シャットダウン時に、圧縮された流体が再膨張して圧縮機構を通って戻ることによる給電停止によって逆回転するスクリュー圧縮機や他の任意の圧縮機に適用することができる。
【００１２】
旋回スクロール部材２６は、従来の方法で駆動軸２５に運転可能に取り付けられる。駆動軸２５は、駆動モータ２４に電力を供給すると、駆動モータ２４によって順方向に回転駆動される。駆動軸２５の順方向への回転に応答して、旋回スクロール部材２６は、非旋回スクロール部材２８に対して旋回運動し、圧縮機構２２内に閉じ込められた冷媒流体の圧縮を行う。モータ制御装置５０が、駆動モータ２４と運転可能に接続されるように設けられ、圧縮機が設置された空調システムまたは冷凍システムに接続されたシステム制御装置（図示せず）から受信した命令に応答して圧縮機駆動モータ２４の運転を制御する。
【００１３】
スクロール圧縮機１０は、吸込口３０および吐出口３２を含む。冷媒回路２の一部を形成し、上流の構成要素、一般的には、空調システムまたは冷凍システム（図示せず）の蒸発器６に接続される吸込ライン３４からの冷媒は、吸込口３０を通って圧縮機２０に入り、圧縮機構２２に移動する。圧縮された冷媒は、吐出ポート３６を通って圧縮機構２２を出て、吐出口３２を通って圧縮機２０から吐出ライン４０に移動する。吐出ライン４０を通って、圧縮された冷媒は、下流の構成要素、一般的には、空調システムまたは冷凍システムの凝縮器４に運ばれる。
【００１４】
旋回スクロール部材２６の旋回運動によって、冷媒は、圧縮機構２２の嵌合するスクロール部材２６，２８の間に形成された圧縮ポケットを通って内側方向に渦巻状に吐出口３２の方に移動する。それと同時に、圧縮ポケットの容積は次第に減少し、それによって、その中に閉じ込められた流体を圧縮する。
【００１５】
駆動モータへの給電を突然停止して圧縮機を停止する代わりに、本発明は、圧縮機のシャットダウンを制御して給電停止による逆回転を防止する方法を提供する。本発明の一態様によると、シャットダウンは、駆動軸２５の順方向回転速度を、負荷時の通常の運転速度から比較的低速の順方向回転速度に減速することによって始まる。シャットダウンを望むとき、モータ制御装置５０は、駆動モータ２４を制御して、駆動軸２５の回転速度を所望の比較的低速の順方向回転速度に減速する。駆動軸の回転速度が減速されると、旋回スクロール部材の旋回速度は、それに比例して減速される。圧縮機は、圧縮機構全体、従ってシステムを通して、圧力を実質的に等しくするのに十分な時間、すなわち、圧縮機の吐出側の圧力が、圧縮機の吸込側での圧力と実質的に等しくなるのに十分な時間、比較的低速の順方向回転速度で運転される。圧縮機が十分に低速の順方向回転速度で運転されると、圧縮機構２２内で圧縮が生じない。さらに、一定の速度以下で運転されると、嵌合するスクロール部材２６，２８は、分離することができ、それによって、スクロール部材間に比較的大きい隙間が創られ、その隙間を通って、圧縮ポケット内の圧縮された流体は、吸込圧力および／または圧縮機が中間圧縮ポートを備える場合には中間圧力、にさらされている圧縮機の内部に直接排出される。
【００１６】
順方向低速の回転速度で、圧力が等しくなるのに十分な運転時間は、比較的短く、一般的に５〜４５秒の間である。その後、モータ制御装置５０は、駆動モータ２４への給電を停止する。駆動モータへの給電停止の前にシステム内の圧力と圧縮機構内の圧力とが、等しくなっているので、給電停止による逆回転は生じない。当業者には当然のことながら、特定の運転速度と、低速運転での時間は、部分的には、圧縮機の潤滑システムの制限によって決まる。駆動軸の速度が低速すぎる場合、潤滑が不十分となることがある。低速運転に関する特定の速度および低速運転時間は、モータ制御装置５２において所望の長さに予め設定することができる。
【００１７】
本発明の別の態様によると、シャットダウンは、駆動軸２５の回転方向を逆にすることによって開始され、旋回スクロール部材の回転方向が逆転する。シャットダウンを望むとき、モータ制御装置５０は、駆動モータ２４を制御して、駆動軸２５を順方向への回転から、給電状態での逆方向への回転に移行させる。運転中、駆動軸２５が順方向に回転されると、圧縮機構２２内で圧縮のみが生じる。駆動軸２５が、逆方向に回転すると、旋回スクロール部材は、逆回転して駆動され、圧縮機構全体の圧力が実質的に等しくなるまで、すなわち、圧縮機の吐出側での圧力が、圧縮機の吸込側での圧力と実質的に等しくなるまで、圧縮要素内の流体は急速に吸込圧力の方に戻される。従って、空調システムまたは冷凍システム内の圧力も、急速に等しくなる。 モータ制御装置５０は、圧縮機構２２内の冷媒圧力とシステム内の冷媒圧力が急速に等しくなるので、給電状態で逆回転した後まもなく、駆動モータ２４への給電を停止する。駆動モータ２５への電力を停止しても、システム内の圧力と圧縮機構２２内の圧力は、駆動モータ２５への電力停止前に等しくされているので、給電停止による逆回転は、生じない。逆回転運転の特定の速度と、その逆回転速度での運転時間は、モータ制御装置５０において所望の速度および長さに予め設定することができる。
【００１８】
あるいは、本発明のいずれの方法の態様においても、低速運転または逆回転の時間は、測定した圧縮機吐出圧力と圧縮機吸込圧力との圧力差に応じて、モータ制御装置５０によって選択することができる。例えば、センサ５２を設けて、圧縮機１０の吐出側での冷媒圧力を感知し、感知した吐出圧力を表す信号をモータ制御装置５０に提供することができ、センサ５４を設けて、圧縮機１０の吸込側での冷媒圧力を感知し、感知した吸込圧力を表す信号をモータ制御装置５０に提供することができる。停止開始の命令を受信すると、モータ制御装置５０は、場合に応じて、低速運転または逆回転中、センサ５２，５４からの信号を監視し、感知した吐出圧力と感知した吸込圧力とが実質的に等しくなると、すなわち、モータ制御装置５０に予めプログラムされた予め設定された許容可能な差の範囲内になると、駆動モータ２５への給電を停止する。当然のことながら、例えば、効率化された圧縮機の場合に、吸込圧力の代わりに、吸込圧力より大きく、吐出圧力より小さい冷媒圧力である中間圧力、または、システム圧力と直接関係する他の同等のパラメータを利用することができる。例えば、飽和吸込温度および飽和吐出温度は、圧縮機の吐出側で冷媒飽和温度を感知するセンサと、圧縮機の吸込側で冷媒飽和温度を感知するセンサと、を設けることと、制御装置５０の適切なプログラミングと、によって測定することができる。
【００１９】
本発明の方法は、変速または多段速度の圧縮機のシャットダウンに関して有利に適用することができる。変速圧縮機に適用するときは、シャットダウンが開始されると、予めプログラムされた経路を介して、駆動軸の順方向回転速度を所望の比較的低速の回転速度まで減速するように、または、駆動軸を給電された状態での逆方向への回転に移行させるように、モータ駆動を制御するようモータ制御装置をプログラミングすることができる。多段速度圧縮機に適用するときは、シャットダウンが開始されると、駆動軸の速度を全負荷運転速度から最低の順方向回転速度または適切な逆回転速度に段を変えるようにモータ駆動を制御するようモータ制御装置をプログラミングすることができる。
【００２０】
本発明を前述の実施形態に関して記述し、図示したが、当業者は他の実施形態を考え出すであろう。例えば、本明細書に記述した両方の実施形態の利点は、圧縮機の順方向回転速度を比較的低速の順方向回転速度に減速して、その後、圧縮機を逆回転駆動することによって、実現することができる。それゆえに、本発明の範囲は、請求項の範囲によってのみ限定されるものとする。
【図面の簡単な説明】
【００２１】
【図１】空調システムまたは冷凍システムの概略図である。
【図２】スクロール圧縮機の立面図である。
【図１】
2008524497.tif 000003
【図２】
2008524497.tif 000004
【国際調査報告】
2008524497.tif 000005
2008524497.tif 000006